(57)【要約】【課題】  本発明は、金融機関等に設置される、個人情報覗き見防止媒体と暗証番号等個人情報を表示する表示機能を持った現金自動取引装置で表示機器の輝度調整を利用者有無の判断により自動で行い、装置が待機状態であることを利用者に分かり易くする。  個人情報覗き見防止媒体は視野角を特定し、周囲から見えなくすることが目的であり、弱視者や利用者個人の感覚および設置する環境により、利用者自身が確認したい情報等を見づらいと判断される場合がある。  これに対し、ＡＴＭが有する表示機能を利用者の有無による自動判断や利用者の要求する表示状態に変更させることにより、利用者が快適に画面の表示を確認できる。【解決手段】  ガイダンス表示部の輝度を利用者の有無判断による自動調整とする他、利用者による調整を可能とし、覗き見防止フィルムを有する自動機における表示画面の見易さを利用者に提供できる。【選択図】  図１
2006164091.tif 000002
【特許請求の範囲】
【請求項１】
ガイダンス表示部、入力部、回線部、利用者が装置操作部前に居ることが確認できる顧
客センサ部、これらを制御する制御部およびガイダンス表示部に表示する情報を周囲に見
えなくする事を目的とする覗き見防止フィルムを有し、利用者の有無により表示ガイダン
ス部の輝度・コントラストが調整可能な制御方式を有する自動取引装置において、利用者
が装置を使用する場合のみ覗き見防止効果を可能とすることを特徴とした自動取引装置。
【請求項２】
利用者が操作する内容により、特定の取引内容の場合のみ表示ガイダンス部の輝度・コ
ントラスト調整が可能な制御方式を有する請求項１の自動取引装置。
【発明の詳細な説明】
【技術分野】
【０００１】
本発明は金融機関等に設置される自動機に表示される個人情報等を周囲から覗き見され
ることを防止する目的で取り付けられる、覗き見防止フィルムの効果を装置利用者が操作
している場合のみ効果有りとする装置ガイダンス表示部の制御方式に関する。
【背景技術】
【０００２】
現在、自動機では個人情報等の覗き見防止フィルムを取付けたことによる、ガイダンス
表示部の利用者へのの操作性（視認性）向上に対する手段は特になく、ガイダンス表示部
と取付けたフィルムの組合せ性能で表示可能な状態を提供しているに過ぎない。
【０００３】
従って、利用者は提供された装置の表示状態で利用するだけで、覗き見防止の効果有無
、また表示状態の個人差による感覚（見易さ）等に対する調整が不可能な状態にある。
【０００４】
【特許文献１】特開２００４−２５２３６４号公報
【発明の開示】
【発明が解決しようとする課題】
【０００５】
特許文献１のように入力部（入力装置）より、開始情報が入力されることによる輝度情
報設定変更手段はあるが本発明で使用される自動機では、利用者が装置付近に接近したこ
とを検知する装置を備え、これを利用し、利用者が自動機に近づいた時点（利用者が自動
機を利用する当初）より輝度情報を変更させることができる。
【０００６】
また、金融機関等に設置される自動機では、利用者は提供された装置の表示状態で利用
するだけで、覗き見防止の効果有無、また表示状態の個人差による感覚（見易さ）等に対
する調整が不可能な状態にある。
【０００７】
本発明のとおり、ガイダンス表示部の輝度・コントラストを利用者有無の判断により利
用者が装置を操作する場合のみ覗き見防止効果を可能とし、またその状態に対する調整を
利用者により実施させることにより、利用者に取扱可否等の装置状態を知らしめる他、個
人差で起る表示の見易さ・見辛さの調整変更が可能となる。
【課題を解決するための手段】
【０００８】
本発明は、上記目的を達成するためにガイダンス表示部の輝度・コントラストを利用者
の有無判断による自動調整とする他、利用者による調整を可能とすることにより、覗き見
防止フィルムを有する自動機に対する利用者の操作性向上手段を設けたことを特徴として
いる。
【発明の効果】
【０００９】
本発明によれば、金融機関等に設置される自動機において、覗き見防止フィルムを取り
付けた場合でも、利用者にあった表示状態を提供できる。
【発明を実施するための最良の形態】
【００１０】
（実施例１）
以下、本発明の一実施形態によるガイダンス表示制御方式を図面を用いて詳細に説明す
る。
【００１１】
図１は本実施形態による現金自動取引装置の内部構成を示す図である。
【００１２】
現金自動取引装置１は図１の如く利用者にガイダンス等の表示が可能な表示部２と該表
入力部２の上に配置され取引内容等を入力するためのタッチパネル等からなる入力部３、
および該表示部２と該入力部３の間に設置され表示部２に表示される個人情報等を周囲に
流出することを抑止する覗き見防止フィルム４、装置前に利用者が居るかいないかを検知
する顧客認識部５、現金自動取引装置固有の各サービスを行うカード・明細票取扱部６−
ａ、紙幣取扱部６−ｂ、通帳取扱部６−ｃ、硬貨取扱部６−ｄから構成されるユニット部
６、電源部７、制御部８、表示部２および入力部３と制御部８に配置され表示部輝度等の
制御を行う表示制御部９から構成される。
【００１３】
本装置では、一般的な現金自動取引装置（以下装置に省略）と同様に制御部８が各構成
要素を制御できる様データバス，アドレスバスおよび制御バスにより接続されている。但
し、制御部２と表示制御部９間は汎用または専用の通信インターフェースで接続されてい
る。
【００１４】
また、本制御部２は顧客認識部の利用者有無情報または、利用者による入力部３操作に
基づいて表示制御部を動作させることにより、本発明特有の機能を実現する。
【００１５】
本装置１では、覗き見防止フィルム４が実装されていることにより、実装されていない
装置と比較した場合、表示部２に表示されるガイダンス等の表示内容は利用者自身の立ち
位置から見た場合にも暗くなる。
【００１６】
従って利用者が居ない場合、すなわち利用者がこれから装置１の前に行こうとしている
場合では、装置１の表示部２は表示内容が殆ど見えない状態であり、装置１が動作可能な
状態であるかどうかが判断できない場合があり得る。このため、本装置では、顧客認識部
５を使用し、装置１付近で利用者が居るか否かを判断する。
【００１７】
例えば利用者が居ない場合、顧客認識部５は顧客が居ないことを表示制御部９を介し制
御部８内インタフェース制御部８−ａに通知する。通知された内容は制御部８内記憶装置
８−ｂに格納されたプログラムにより読取られる。記憶装置８−ｂには装置１の各状態に
おける表示部２の輝度レベル状態情報が記憶されており、利用者が居ない場合の輝度レベ
ルに設定するよう制御部８を介し、インタフェース制御部８−ａを動作させる。
【００１８】
８−ａから情報を受け取った表示制御部９では、輝度レベル状態情報にあったレベル例
えば抵抗等により表示部２内のバックライト２−ａの輝度を変化させることにより、表示
部２の輝度状態を最大に設定する。
【００１９】
本動作により装置１の表示部２の表示内容が遠くから装置を見ている利用者に装置１が
取扱可能であり、即使用可能であることを知らせることができる。
【００２０】
次にこの装置の表示処理についての一実施例について説明する。
【００２１】
図２に本装置の取引前表示部輝度変更のフローチャートを示す。
【００２２】
先の説明において、装置１に利用者が不在であった状態では表示部２の輝度は最大であ
り、表示部の表示内容が遠方の利用者からも確認ができる状態にあるため、利用者は使用
可能であると判断し、装置１前に立ち装置１による取引を行う。
【００２３】
この場合、まずステップＳ００１において利用者が装置１前に来たことを顧客認識部５
が判断する。ステップＳ００３で顧客認識部５から利用者が居る情報を得たインタフェー
ス制御部８−ａは記憶装置８−ｂに設定された利用者が居る場合に設定すべき初期輝度レ
ベル状態情報（最小値）を表示制御部９を介し表示部に設定することにより表示部２内バ
ックライト２−ａを変化させ初期輝度レベル状態とする。
【００２４】
また、利用者が居ない場合は、ステップＳ００２の通り、引き続き表示部２の輝度は最
大値を継続する。
【００２５】
本動作により装置１の表示部２画面状態は表示部２で表示可能とできる最小輝度値とな
り、覗き見防止フィルム４の最大効果状態で利用者は取引を開始することになる。
【００２６】
上記内容は装置側で設定した最小輝度レベル内容をそのまま顧客に利用させる内容であ
るが、装置１は覗き見防止フィルム４が実装されており、この場合、覗き見防止フィルム
４が無い場合に比較した場合、見えにくくなっている。
【００２７】
これにより、利用者は個人差の範囲で見えない、あるいは見えにくいと判断する場合が
あるとする。
【００２８】
これに対し、装置１は個人情報を漏らさないことを前提としているため、個人差による
感じ方と装置の特徴のバランスを取る必要がある。
【００２９】
本バランスの統制は表示部２に表示輝度レベル変更表示を行い、利用者に表示部２輝度
レベル選択を行せることにより可能とする。
【００３０】
利用者が装置１の前に立った初期状態では、前述の通り装置１の記憶装置８−ｂから既
に記憶された初期輝度レベル状態にあるが、記憶装置８−ｂには更に段階分けした固定の
輝度レベル状態情報を持っており、またインタフェース制御部８−ａおよび表示制御部９
もこれに対応するものとする。
【００３１】
ステップＳ００３の状態より、表示部１に図３に示すような表示を行い（ステップＳ０
０４）、利用者に表示部２の輝度を変化させることを促す。これにより、表示内容が見ず
らいと感じた利用者は、図２のステップＳ００４により、記憶装置８−ｂ内の固定の輝度
レベル状態情報から、自分が見やすいと感じるレベルまで表示部２の輝度を上げることが
できる。
【００３２】
ステップＳ１０１〜ステップＳ１０３は利用者が自分の感覚で見易い画面状態に輝度レ
ベルを変更する操作であるあらかじめ、記憶装置８−ｂに記憶されている輝度レベル状態
情報が設定１〜ｎまであるとすると、表示部２には図３に示す画面より輝度変更ボタンを
押下する。
【００３３】
インタフェース制御部８−ａは顧客認識部５から送信される場合、輝度最大と輝度最小
の２通りの輝度レベル状態情報を使用するが、入力部３より輝度レベル変更指示があった
場合は、利用者によって選択される設定１〜ｎの範囲内での任意の輝度レベル状態情報と
なる。
【００３４】
但し、利用者によって選択される輝度レベル状態情報設定値の範囲には最大輝度はなく
、覗き見防止フィルム４の効果が得られる範囲となる。
【００３５】
また、表示部２の画面は輝度変更中、毎回図３に示す内容を表示するが、輝度レベル状
態情報設定値が最初に設定する設定１状態から、設定値の上限である設定ｎまで状態を変
更した場合、次に設定される表示部２の輝度状態はスッテプＳ１０１の通り、設定１とな
る。
【００３６】
上記により利用者は自身が選択した表示部２の輝度、すなわち見易いと思える表示状態
で装置固有の取引動作をすることが、可能となる。
（実施例２）
実施例１では、利用者が取引を行う前の状態で利用者が設定した内容で以降の取引を行
い続けることを前提とした場合の輝度変更制御方式について説明したが、本装置では利用
者が一連の取引操作を行う中で、情報の漏洩を防ぐ必要有る場合とその必要がなく、画面
情報が重要であるような場面があった場合、自動で輝度情報の設定変更が可能である。こ
の場合の取引中表示部輝度変更のフローチャートを図４により説明する。
【００３７】
実施例１の手順でステップ１０１〜ステップ１０３により表示部２の輝度を変更設定さ
れた場合、または初期設定（輝度最小）である場合、以降取引操作に入る。この場合、ス
テップ１０１〜ステップ１０３で輝度を変更しているとすると、取引中における最大輝度
レベル状態の場合もあり、利用者は見にくいが、情報漏洩防止を優先したい場合もある。
【００３８】
この場合、例えば前述の取引内容が暗証番号入力であるとすれば、入力部３より選択さ
れた取引項目が暗証番号入力スッテプＳ２０２であれば、入力部３から暗証番号入力が選
択されたことを受けて記憶装置部８−ｂより初期輝度レベル状態情報（最小値）を表示制
御部９を介し表示部に設定する。（ステップ００３）この時、現在の装置状態を確認し、
ステップ２０３で現在は取引状態であるため、暗証番号入力を待つ（ステップ２０４）。
【００３９】
暗証番号入力が終了した時点でステップ２０６の通り輝度レベル状態をステップ１０１
〜ステップ１０３で設定した状態に戻す。利用者は、以降自身で設定した輝度状態により
取引を続行する。
【００４０】
本内容は、暗証番号入力時に限らず、金額入力他顧客個人情報入力・表示の場合も同様
でとなる。
【図面の簡単な説明】
【００４１】
【図１】現金自動取引装置内機器構成例。
【図２】利用者が装置を利用する場合の表示部輝度変更フロー例。
【図３】利用者が装置を操作する場合の画面表示内容例。
【図４】利用者が装置を利用する場合の表示部輝度変更フロー例。
【符号の説明】
【００４２】
１…現金自動取引装置、２…表示部、２−ａ…バックライト、３…入力部、４覗き見防
止フィルム、５…顧客認識部、６…ユニット部、７…電源部、８…制御部、９…表示制御
部、８−ａ…インターフェース制御部、８−ｂ…記憶装置。
【図１】
2006164091.tif 000003
【図２】
2006164091.tif 000004
【図３】
2006164091.tif 000005
【図４】
2006164091.tif 000006